(57)【特許請求の範囲】
【請求項１】
表示画面を有した表示装置と、
前記表示画面の縁部を覆った第一筐体部材と、
前記表示装置の前記表示画面とは反対側に位置された第二筐体部材と、
前記第二筐体部材と前記表示装置との間に位置され、前記表示装置を支持した第三筐体部材と、
回路基板と、
前記回路基板と電気的に接続され、前記第三筐体部材の外側に露出されたコネクタと、
前記第三筐体部材に取り付けられ、前記コネクタと電気的に接続されたモジュールと、
前記第一筐体部材と前記第二筐体部材および前記第三筐体部材のうち少なくとも一方とを結合し前記モジュールに覆われた第一結合具と、
前記第二筐体部材と前記第三筐体部材とを結合し前記第一筐体部材または前記表示装置に覆われた第二結合具と、
を備えた、電子機器。
【請求項２】
前記第一筐体部材が、前記第二筐体部材および前記第三筐体部材のうち少なくとも一方に覆われた状態で前記第二筐体部材および前記第三筐体部材のうち少なくとも一方と結合された部分を有した、請求項１に記載の電子機器。
【請求項３】
前記第一筐体部材が、第一係部を有し、
前記第二筐体部材および前記第三筐体部材のうち前記第一筐体部材と結合された部材が、前記第一係部と係わる第二係部を有した、請求項２に記載の電子機器。
【請求項４】
前記第三筐体部材は、前記表示装置の前記表示画面とは反対側の背面を覆う第一壁部と、前記表示装置の前記表示画面と前記背面との間に亘る側面を覆う第二壁部と、を有した、請求項１〜３のうちいずれか一つに記載の電子機器。
【請求項５】
前記第一壁部に開口部が設けられた、請求項４に記載の電子機器。
【請求項６】
前記開口部が、前記回路基板と外れた位置に設けられた、請求項５に記載の電子機器。
【請求項７】
前記第一筐体部材は合成樹脂材料で構成され、前記第二筐体部材および第三筐体部材は金属材料で構成された、請求項１〜６のうちいずれか一つに記載の電子機器。
【発明の詳細な説明】
【技術分野】
【０００１】
本発明の実施形態は、電子機器に関する。
【背景技術】
【０００２】
従来、キーボードとバッテリとが筐体の表面に沿って並べて設けられた電子機器が知られている。
【先行技術文献】
【特許文献】
【０００３】
【特許文献１】特開２００９−１０４２４３号公報
【発明の概要】
【発明が解決しようとする課題】
【０００４】
テレビジョン受像機等の電子機器では、表示装置等の電子部品とバッテリ等のモジュールや部品とが筐体に設けられる場合に、より不都合の少ない構成が求められていた。
【０００５】
そこで、本発明の実施形態は、一例として、表示装置等の電子部品とバッテリ等のモジュールや部品とを筐体に設ける場合に、より不都合の少ない電子機器を得ることを目的の一つとする。
【課題を解決するための手段】
【０００６】
本発明の実施形態にかかる電子機器は、表示装置と、第一筐体部材と、第二筐体部材と、第三筐体部材と、回路基板と、コネクタと、モジュールと、第一結合具と、第二結合具と、を備えた。表示装置は、表示画面を有した。第一筐体部材は、表示画面の縁部を覆った。第二筐体部材は、表示装置の表示画面とは反対側に位置された。第三筐体部材は、第二筐体部材と表示装置との間に位置され、表示装置を支持した。コネクタは、回路基板と電気的に接続され、第三筐体部材の外側に露出された。モジュールは、第三筐体部材に取り付けられ、コネクタと電気的に接続された。第一結合具は、第一筐体部材と第二筐体部材および第三筐体部材のうち少なくとも一方とを結合しモジュールに覆われた。第二結合具は、第二筐体部材と第三筐体部材とを結合し第一筐体部材または表示装置に覆われた。
【図面の簡単な説明】
【０００７】
【図１】図１は、実施形態にかかるテレビジョン受像機の一例が示された斜視図である。
【図２】図２は、実施形態にかかるテレビジョン受像機の一例が示された正面図である。
【図３】図３は、実施形態にかかるテレビジョン受像機の一例が示された背面図である。
【図４】図４は、実施形態にかかるテレビジョン受像機の一例が示された側面図である。
【図５】図５は、実施形態にかかるテレビジョン受像機の一例が示された側面図であって、図４とは別の方向から見た図である。
【図６】図６は、実施形態にかかるテレビジョン受像機の一例が示された側面図であって、図４，５とは別の方向から見た図である。
【図７】図７は、実施形態にかかるテレビジョン受像機の一例が示された側面図であって、図４〜６とは別の方向から見た図である。
【図８】図８は、実施形態にかかるテレビジョン受像機の一例が示された分解斜視図である。
【図９】図９は、実施形態にかかるテレビジョン受像機の内部の構成の一例が示された平面図である。
【図１０】図１０は、図２のX−X断面図である。
【図１１】図１１は、実施形態にかかるテレビジョン受像機がドッキングステーションに保持された状態の一例が示された斜視図である。
【図１２】図１２は、実施形態にかかるテレビジョン受像機がドッキングステーションに保持された状態の一例が示された側面図である。
【図１３】図１３は、実施形態にかかるテレビジョン受像機の第一部材の一例が示された斜視図である。
【図１４】図１４は、実施形態にかかるテレビジョン受像機の第二部材の一例が示された斜視図である。
【図１５】図１５は、実施形態にかかるテレビジョン受像機の第三部材の一例が示された斜視図である。
【図１６】図１６は、実施形態にかかるテレビジョン受像機のバッテリを取り外した筐体の一例が示された斜視図である。
【図１７】図１７は、実施形態にかかるテレビジョン受像機のバッテリを取り外した筐体の一例が示された斜視図であって、別の角度から見た図である。
【図１８】図１８は、実施形態にかかるテレビジョン受像機のバッテリを取り外した筐体の一例が示された斜視図である。
【図１９】図１９は、実施形態にかかるテレビジョン受像機のバッテリを取り外した筐体の一例が示された斜視図であって、別の角度から見た図である。
【図２０】図２０は、実施形態にかかるテレビジョン受像機のバッテリを取り外した筐体の一部の一例が示された斜視図である。
【図２１】図２１は、実施形態にかかるテレビジョン受像機のバッテリを取り外した筐体の一部の一例が示された斜視図であって、別の角度から見た図である。
【図２２】図２２は、図２０のXXII−XXII断面図である。
【図２３】図２３は、実施形態にかかるテレビジョン受像機の第一部材の一部の一例が示された斜視図である。
【図２４】図２４は、実施形態にかかるテレビジョン受像機の第二部材の一部の一例が示された斜視図である。
【図２５】図２５は、実施形態にかかるテレビジョン受像機の第二部材および第三部材の一例が示された斜視図である。
【図２６】図２６は、実施形態にかかるテレビジョン受像機の表示装置の一例の背面側から見た斜視図である。
【図２７】図２７は、図２のXXVII−XXVII断面図である。
【図２８】図２８は、実施形態にかかるテレビジョン受像機の第二部材および第三部材の一部の一例が示された斜視図である。
【図２９】図２９は、図２のXXIX−XXIX断面図である。
【図３０】図３０は、実施形態の変形例にかかる電子機器の一例が示された斜視図である。
【発明を実施するための形態】
【０００８】
以下の例示的な複数の実施形態および変形例には、同様の構成要素が含まれている。よって、以下では、同様の構成要素には共通の符号が付されるとともに、重複する説明が省略される。また、各図では、便宜上、方向（Ｘ方向、Ｙ方向、Ｚ方向）が示されている。Ｘ方向は、テレビジョン受像機１の表示画面４ａに対する正面視での長手方向、Ｙ方向は、表示画面４ａに対する正面視での短手方向、Ｚ方向は表示画面４ａに対する正面視での前後方向（奥行方向、筐体３の厚さ方向）である。Ｘ方向、Ｙ方向、およびＺ方向は、相互に直交している。
【０００９】
また、以下の実施形態では、電子機器がテレビジョン受像機として構成された場合が例示されるが、本実施形態にかかる電子機器は、これには限定されない。本実施形態にかかる電子機器は、例えば、タブレット型もしくはスレート型のパーソナルコンピュータや、スマートフォン、スマートテレビ、スマートブック、携帯電話機、ＰＤＡ（personal digital assistant）、映像表示装置、テレビ電話機等の種々の電子機器として構成することができる。
【００１０】
テレビジョン受像機１の筐体３は、本実施形態では、一例として、図１〜７に示されるように、正面視および背面視では矩形状（本実施形態では、一例として長方形状）に構成されている。また、筐体３は、本実施形態では、一例として、図２，５に示されるように、前後方向に薄い扁平な直方体状に構成されている。筐体３は、前面（正面、面、第一面、第一面部）３ａとこの反対側の後面（背面、面、第二面、第二面部）３ｂと、を有する。前面３ａと後面３ｂとは略並行している。また、筐体３は、図１，４〜７に示されるように、正面視では、四つの端部（辺部、縁部）３ｃ〜３ｆと、四つの角部（尖部、曲部、端部）３ｇ〜３ｊと、を有する。端部３ｃ，３ｅは、長辺部の一例である。また、端部３ｄ，３ｆは、短辺部の一例である。
【００１１】
また、筐体３は、前面３ａを有する壁部（第一壁部、第一部分、プレート、フレーム、前壁部、表壁部、天壁部）３ｋと、後面３ｂを有する壁部（第二壁部、第二部分、プレート、後壁部、裏壁部、底壁部）３ｍと、を有する。壁部３ｋ，３ｍは、矩形状（本実施形態では、一例として長方形状）である。また、筐体３は、壁部３ｋと壁部３ｍとの間に亘った側面（面、周面、第三面）３ｐを有する四つの壁部（第三壁部、第三部分、プレート、側壁部、端壁部、立壁部、亘部）３ｎを有する。壁部３ｋには、一例としては矩形状の開口部３ｒが設けられている。
【００１２】
さらに、筐体３は、複数の部品（分割体）が組み合わせられて構成されることができる。筐体３は、本実施形態では、一例として、少なくとも壁部３ｋを含む第一部材（第一部分、前側部材、カバー）３Ｆｒと、少なくとも壁部３ｍを含む第二部材（第二部分、後側部材、ベース、ボトム）３Ｒｒとを有する。壁部３ｎは、第一部材３Ｆｒおよび第二部材３Ｒｒのうち少なくともいずれか一方（例えば、第二部材３Ｒｒ）に含まれる。また、本実施形態では、図８，１０に示されるように、筐体３は、第一部材３Ｆｒおよび第二部材３Ｒｒとは別に、これらの間に位置した第三部材（第三部分、中間部材、隔部材、障壁部材、壁部材、介在部材、インナプレート、ミドルプレート、ミドルフレーム）３Ｍｄを有する。壁部３ｎの一部は、第三部材３Ｍｄに含まれることができる。筐体３は、金属材料や、合成樹脂材料等で構成されることができる。一例として、第二部材３Ｒｒおよび第三部材３Ｍｄは、比較的剛性の高い材料（例えば、マグネシウム合金等の金属材料等）で構成されることができ、第一部材３Ｆｒは、比較的剛性の低い材料（第二部材３Ｒｒおよび第三部材３Ｍｄより剛性の低い材料、例えば合成樹脂材料等）で構成されることができる。なお、第一部材３Ｆｒ、第二部材３Ｒｒ、および第三部材３Ｍｄには、リブ等の壁部（突出部、突出壁部）が設けられることができる。壁部により、筐体３の剛性が高くなりやすい。また、第三部材３Ｍｄには、貫通孔等の開口部が設けられることができる。開口部により、一例としては、筐体３をより軽量に構成することができる。また、一例としては、筐体３内での空気の流れを確保しやすくなる。
【００１３】
また、本実施形態では、一例として、図５，７に示されるように、長手方向を横向きにした使用状態で下側または手前側（ユーザに近い側）となる第一部３Ｂａの厚さが、当該使用状態で上側または奥側（ユーザから遠い側）となる第二部３Ｂｂの厚さより薄い。このため、机等の載置面Ｐ上に載せて使用する状態では、筐体３の前面３ａおよび表示画面４ａの載置面（水平面）Ｐからの高さが、手前側（下側）から奥側（上側）に向かうにつれて、高くなる。よって、本実施形態によれば、一例としては、テレビジョン受像機１に対して図５の左側（図７の右側）に位置したユーザにとって、表示画面４ａが所謂チルトの状態となり、ユーザが表示画面４ａを見やすいという利点がある。図５，７の状態での表示画面４ａの載置面Ｐとの角度（鈍角側）は、１３５°以上でありかつ１８０°未満であるのが好適である。本実施形態では、一例として、筐体３の後面３ｂに複数の突出部３ｖ（３ｖ，３ｖ）が設けられている。図５，７から明らかとなるように、図５，７の第二部３Ｂｂに位置された突出部３ｖの先端部分と表示画面４ａとの距離は、図５，７の第一部３Ｂａに位置された突出部３ｖの先端部分と表示画面ｎ４ａとの距離より長い。本実施形態では、図５の左側（図７の右側）の突出部３ｖ（の先端部分）は第一接触部の一例であり、図５の右側（図７の左側）の突出部３ｖ（の先端部分）は第二接触部の一例である。
【００１４】
そして、筐体３には、部品１６を出入可能に収容した部品収容部１７が設けられている。部品収容部１７の開口部１７ａは、本実施形態では、一例として、端部３ｄに開口している。この開口部１７ａは、いずれかの使用姿勢で上側となり、かつ非使用姿勢では下側とならない端部３ｄに設けられている。このような構成によれば、使用姿勢では、開口部１７ａが上側に位置される。よって、一例としては、部品１６が部品収容部１７から重力の作用によって脱落するのを抑制しやすくなる。部品１６は、具体的には、例えば、スタイラス、スタイラスペン、ペン等である。
【００１５】
また、本実施形態では、一例として、図２，３に示されるように、バッテリ（モジュール、部品、電子部品、着脱部品、交換部品）１８と、表示装置４とが、筐体３の厚さ方向には重ならず、厚さ方向と直交する方向（前面３ａまたは後面３ｂに沿う方向、Ｘ方向またはＹ方向、本実施形態では一例として、Ｙ方向）に並んで配置されている。よって、一例としては、バッテリ１８と表示装置４とが筐体３の厚さ方向に重なった場合に比べて、筐体３をより薄く構成することができる。また、一例としては、バッテリ１８と表示装置４とが筐体３の厚さ方向に重なった場合に比べて、バッテリ１８をより厚くしやすくなり、ひいては、バッテリ１８の単位体積あたりの容量を高めやすくなる。また、図５，７に示されるように、本実施形態では、筐体３は、薄い第一部３Ｂａと、厚い第二部３Ｂｂとを有している。バッテリ１８を収容するバッテリ収容部（バッテリ支持部）３ｓは、厚い第二部３Ｂｂの端部３ｃに設けられている。よって、一例としては、バッテリ収容部３ｓが第一部３Ｂａに設けられた場合に比べて、バッテリ１８を厚くしやすくなり、ひいては、バッテリ１８の単位体積あたりの蓄電容量を高めやすくなる。
【００１６】
また、本実施形態では、一例として、図１１に示されるように、バッテリ収容部３ｓが設けられた端部３ｃと反対側の端部３ｅが、ドッキングステーション２に支持される。よって、一例としては、作業者（ユーザ等）は、テレビジョン受像機１がドッキングステーション２に支持された状態で、バッテリ１８を筐体３に着脱することができる。また、端部３ｅには、図３，６に示されるように、ドッキングステーション２のコネクタ（図示されず）と接続されるコネクタ１９が設けられている。よって、一例としては、バッテリ収容部３ｓおよびコネクタ１９が、相互に干渉することなく、筐体３に設けられやすい。なお、端部３ｅには、スピーカカバー３ｔも露出している。コネクタ１９およびスピーカカバー３ｔは、端部３ｅの壁部３ｎに設けられた開口部３ｕを介して露出している。コネクタ１９は、第一コネクタの一例である。
【００１７】
また、本実施形態では、一例として、図１〜３，５，７に示されるように、筐体３の前面３ａや側面３ｐには、操作部２０やコネクタ２１が設けられている。操作部２０は、押しボタンや、押しスイッチ、スライドスイッチ、ポインティングデバイス等であることができる。コネクタ２１は、電源ケーブル用のコネクタや、ＵＳＢコネクタ、イヤホンやマイクのコネクタ等である。操作部２０やコネクタ２１は、筐体３の壁部３ｋ，３ｎに設けられた開口部３ｕを介して露出している。また、前面３ａには、カメラ（カメラモジュール、撮像装置）３ｘを設けることができる。
【００１８】
また、本実施形態では、一例として、図１，３，５，６，１０に示されるように、筐体３の後面３ｂや側面３ｐには、電子部品１２（図１０等参照）の冷却等に用いる空気を導入したり排出したりする通気口２２が設けられている。本実施形態では、一例として、後面３ｂ（壁部３ｍ）に、空気を導入する導入口２２ａが設けられ、側面３ｐ（壁部３ｎ、端部３ｄ）に、空気を排出する排出口２２ｂが設けられている。本実施形態では、導入口２２ａや排出口２２ｂは、壁部３ｍ，３ｎに設けられた複数の小孔２２ｃが集まった部分として設けられている。なお、後面３ｂには突出部３ｖが設けられている。よって、図５，７に示されるような後面３ｂが載置面Ｐ上に載せられた状態でも、導入口２２ａは塞がれない。また、本実施形態では、筐体３の薄い第一部３Ｂａと厚い第二部３Ｂｂとの境界部分に、傾斜部３Ｂｃが設けられている。そして、図３に示されるように、導入口２２ａのうちの一つ２２ａ１が、傾斜部３Ｂｃの後面３ｂに設けられている。図５，７に示されるように、傾斜部３Ｂｃと載置面Ｐとの間の距離は、他の部分と載置面Ｐとの間の距離より大きくなるため、この傾斜部３Ｂｃに設けられた導入口２２ａ１については、空気の通流抵抗を減らしやすくなって、冷却効率をより高めやすくなる。また、本実施形態では、複数の導入口２２ａが設けられている。よって、一例としては、何らかの原因で一つの導入口２２ａが塞がれたような場合にあっても、他の導入口２２ａから空気流を筐体３内に導入することができ、冷却性能が損なわれにくくなる。なお、筐体３内は、冷却機構２３（図９，１０等参照）によって冷却してもよいし、自然冷却（対流冷却）によって冷却してもよい。
【００１９】
本実施形態では、一例として、図８，１０に示されるように、第一部材３Ｆｒと第三部材３Ｍｄとの間に、表示装置（表示部、ディスプレイ、パネル）４が収容されている。表示装置４の、前面３ａ側に位置した表示画面４ａは、開口部３ｒを介して筐体３の前方（外方）に露出しており、使用者は、前方側から開口部３ｒを介して表示画面４ａを視認することができる。表示装置４は、正面視では矩形状（本実施形態では一例として長方形状）に構成されている。また、表示装置４は、前後方向に薄い扁平な直方体状に構成されている。表示装置４は、例えば、液晶ディスプレイ（ＬＣＤ，liquid crystal display）や有機ＥＬディスプレイ（ＯＥＬＤ，organic electro-luminescent display）等である。
【００２０】
また、本実施形態では、一例として、表示装置４の前側（表側、壁部３ｋ側）には、透明な比較的薄い矩形状の入力操作パネル（一例としてはタッチパネル、タッチセンサ、操作面）５が設けられている。入力操作パネル５は、表示画面４ａを覆っている。操作者（ユーザ等）は、例えば、手指や部品１６（スタイラス）等で入力操作パネル５に対して、触れる、押す、擦る、あるいは手指やスタイラス等を入力操作パネル５の近傍で動かす等の操作を行うことで、入力処理を実行することができる。また、表示装置４の表示画面４ａから出た光は、入力操作パネル５を通過して壁部３ｋの開口部３ｒから筐体３の前方（外方）へ出る。入力操作パネル５は、入力部の一例である。
【００２１】
そして、本実施形態では、一例として、図８，１０に示されるように、筐体３内には、表示装置４の後側（裏側、背後側、壁部３ｍ側、表示画面４ａとは反対側）、本実施形態では、一例として、第二部材３Ｒｒと第三部材３Ｍｄとの間に、複数の基板６，７，２５が収容されている。基板６，７，２５は、相異なる位置に配置され、いずれも、表示装置４と並行して設けられている。また、基板６，７，２５は、壁部３ｋ，３ｍ，３ｎ等と離間した状態で、すなわち、壁部３ｋ，３ｍ，３ｎ等との間に空間が形成された状態で、設けられている。基板６，７，２５は、表示装置４に沿って並べて配置され、筐体３の厚さ方向には重なり合わないのが好適である。また、基板６，７，２５は、ねじ等の結合具によって、筐体３に固定されている。
【００２２】
また、本実施形態では、一例として、基板（第一基板、第一回路基板、制御基板、メイン基板）６には、例えば、ＣＰＵ（central processing unit）や、グラフィックコントローラ、電源回路部品、ＰＣＨ（platform controller hub）、メモリスロットコネクタ、ＬＣＤコネクタ、Ｉ／Ｏ（input/output）コネクタ、電源コイル、素子、コネクタ等の複数の電子部品１２（図１０参照、図１０には一部のみ図示）を実装することができる。電子部品１２には、発熱体が含まれる。発熱量の大きな電子部品（発熱体）１２には、冷却機構２３を設けることができる。冷却機構２３は、ヒートシンク（受熱部、図示されず）、ヒートパイプ２３ａ、放熱部２３ｂ、ファン２４等を含んでいる。基板６および電子部品１２によって、制御回路（図示されず）の少なくとも一部が構成されている。また、制御回路は、例えば、映像信号処理回路や、チューナ部、ＨＤＭＩ（high-definition multimedia interface）信号処理部、ＡＶ（audio video）入力端子、リモコン信号受信部、制御部、セレクタ、オンスクリーンディスプレイインタフェース、記憶部（例えば、ＲＯＭ（read only memory）、ＲＡＭ（random access memory）、ＨＤＤ（hard disk drive）、ＳＳＤ（solid state drive）等）、音声信号処理回路等を、含むことができる。制御回路は、表示装置４の表示画面４ａでの映像（動画や静止画等）の出力や、スピーカ（図示されず）での音声の出力、ＬＥＤ（light emitting diode、図示されず）での発光等を制御する。表示装置４や、スピーカ、ＬＥＤ等は、出力部の一例である。
【００２３】
また、本実施形態では、一例として、図２，５，７，９からわかるように、基板６，７および冷却機構２３は、筐体３の厚い第二部３Ｂｂに位置されている。よって、一例としては、基板６，７および冷却機構２３が薄い第一部３Ｂａに位置された場合に比べて、空間をより広く確保しやすくなり、冷却機構２３のファン２４によって流される空気流による冷却効果が得られやすい。また、本実施形態では、一例として、ファン２４および放熱部２３ｂは、規定された（制御された）使用状態で上側となる端部３ｃと端部３ｄとが接続される角部３ｇに設けられている。したがって、一例としては、テレビジョン受像機１の使用姿勢によらず、ファン２４および放熱部２３ｂを筐体３内の上側に配置することができる。よって、一例としては、熱が筐体３内に留まりにくくなる。なお、ファン２４および放熱部２３ｂは、排出口２２ｂに隣接して設けられている。
【００２４】
また、本実施形態では、一例として、基板７は、冷却機構２３との間で基板６を挟む位置（第二部３Ｂｂで基板７、基板６、および冷却機構２３の順に並ぶ位置）に設けられる。このような構成により、外部から吸気された空気が基板６の位置に到達する前に基板７に当たる。よって、一例としては、基板７の放熱効率が高くなりやすい。また、モジュール８Ａ，８Ｂが実装された基板７が、筐体３内の部品の中では比較的重量が大きく筐体３の中央に位置した基板６に対し、他の重量物である冷却機構２３と反対側に位置される。よって、一例としては、テレビジョン受像機１の重量バランスがより良くなる。よって、一例としては、ユーザは、テレビジョン受像機１を持ち運ぶ際に、より持ちやすい。
【００２５】
また、本実施形態では、一例として、図３，１０に示されるように、筐体３の壁部３ｍに、ファン２４に近い導入口２２ａ２と、基板６を挟んで導入口２２ａ２の反対側に位置した導入口２２ａ３と、導入口２２ａ２，２２ａ３より発熱体としての電子部品１２に近い導入口２２ａ１と、が設けられている。導入口２２ａ２が設けられたことで、筐体３内により効率良く空気流を流すことができる。また、導入口２２ａ３から導入された空気流Ｓは、基板６の後側の第二面６ｂに沿ってファン２４に向けて流れる空気流Ｓ２と、基板６のファン２４の反対側に位置した端部６ｃの外側を通過して（回り込んで、迂回して）基板６の前側の第一面６ａに沿ってファン２４に向けて流れる空気流Ｓ１と、に分けられる。よって、基板６の第一面６ａおよび第二面６ｂの両側に設けられた電子部品（発熱体）１２を冷却することができる。
【００２６】
また、本実施形態では、一例として、図１０に示されるように、基板７およびモジュール８Ａ，８Ｂは、表示装置４に沿って配置されている。また、基板２５には、電子部品１２が設けられている。また、筐体３内には、フレキシブルケーブル２７が収容されている。フレキシブルケーブル２７は、基板６，７，２５や、表示装置４、コネクタ１９等の間を、電気的に接続している。フレキシブルケーブル２７は、例えば、フレキシブルプリント配線板や、フラットケーブル等である。
【００２７】
また、図９に示されるように、筐体３内には、複数のアンテナ２６が収容されている。本実施形態では、一つの通信モジュール（例えば、モジュール８Ｂ）に接続された複数のアンテナ２６が、相互に離間して配置されている。本実施形態では、一例として、一つのアンテナ２６は、筐体３の端部３ｄおよび端部３ｅの近傍（角部３ｈの近傍）に配置され、もう一つのアンテナ２６は、筐体３の端部３ｅおよび端部３ｆの近傍（角部３ｉの近傍）に配置されている。これにより、一例としては、アンテナ２６の空間ダイバーシティを構成することができる。なお、アンテナ２６とモジュール８Ｂとは、ケーブル２８を介して電気的に接続されている。なお、一方のアンテナ２６を送受信用とし、他方のアンテナ２６を受信専用とするなど、複数のアンテナ２６，２６で機能を分けることもできるし、一方のアンテナ２６を他方のアンテナ２６の予備として利用することもできる。
【００２８】
本実施形態では、一例として、図１１，１２に示されるように、ドッキングステーション２は、第一支持部２ａと、第二支持部２ｂと、を有する。第一支持部２ａは、載置面Ｐ（図１２参照）上に載せられ、土台（台部、底部、下部、基礎部、基底、基底部、載部、脚部、脚、倒れ抑制部、抑制部）として機能する。第二支持部２ｂは、第一支持部２ａ（の底部）から載置面Ｐ上に突出し、テレビジョン受像機１の筐体３を所定の姿勢（位置）で保持する。すなわち、第二支持部２ｂは、保持部（起立部、縦部、上部、受部、持部、覆部、当接部、接触部、ガイド部）として機能する。なお、第一支持部２ａと第二支持部２ｂとは、部品として明確に分けられている必要は無く、部品の部位等であってもよい。また、本実施形態では、一例として、ドッキングステーション２は、第一支持部２ａと第二支持部２ｂとの間に位置され、第一支持部２ａの上方かつ第二支持部２ｂの後方に突出した突出部２ｃを有する。この突出部２ｃは、部品を収容した部品収容部４１としての機能を有するとともに、第一支持部２ａと第二支持部２ｂとの間に介在して、第二支持部２ｂを支持した支持部として機能している。ドッキングステーション２、第一支持部２ａ、第二支持部２ｂ、および突出部２ｃは、テレビジョン受像機１（電子機器）を支持する支持部の一例である。第一支持部２ａ、第二支持部２ｂ、および突出部２ｃは、種々のスペック（形状や、構造、数等）で具現化することができる。ドッキングステーション２は、当該ドッキングステーション２の所定位置（装着位置、保持位置、載置位置）に位置されたテレビジョン受像機１（電子機器）に、機械的ならびに電気的に接続される。
【００２９】
ドッキングステーション２は、装着されたテレビジョン受像機１（電子機器）に関する種々の機能を提供することができる。ドッキングステーション２は、例えば、表示画面４ａを起立させるためのスタンドとして機能することができる。この場合、ドッキングステーション２は、表示画面４ａの角度（テレビジョン受像機１の姿勢）を可変設定する機能を有することができる。これについては後述する。また、ドッキングステーション２は、例えば、テレビジョン受像機１の充電装置として機能することができる。この場合、ドッキングステーション２は、テレビジョン受像機１に対して電気的に接続された有線の充電装置として機能することができる他、非接触充電（ワイヤレス給電）を行う充電装置として機能することができる。この場合、非接触充電部は、一例としては、第二支持部２ｂに設けられる。また、ドッキングステーション２は、例えば、テレビジョン受像機１に電気的に接続されるコネクタを増やすコネクタ部（コネクタ用ハブ、データや信号等の中継装置）として機能することができる。また、ドッキングステーション２は、例えば、テレビジョン受像機１のスピーカとして機能することができる。また、ドッキングステーション２は、例えば、テレビジョン受像機１の冷却機能を備えることもできる。その場合、一例としては、ドッキングステーション２の筐体４０内に通気経路やファン等が設けられ、通気経路を通る空気により、テレビジョン受像機１の冷却を補助あるいは促進することができる。また、通気経路は、テレビジョン受像機１の通気口２２と面した開口部を有することができる。また、一例としては、ドッキングステーション２は、テレビジョン受像機１に面した冷却部を有しても良い。また、ドッキングステーション２は、例えば、ＡＣアダプタの機能を備えることもできる。
【００３０】
また、本実施形態では、一例として、ドッキングステーション２は、少なくとも部分的に中空構造を有する。ドッキングステーション２は、筐体４０を有し、筐体４０内に、基板や、コネクタ、電子部品、ハーネス等の各種部品（図示されず）の少なくとも一部が収容されている。筐体４０は、合成樹脂材料や金属材料（本実施形態では、一例として合成樹脂材料）で構成されることができる。また、本実施形態では、一例として、筐体４０内には、フレーム（枠部材、骨格部材、高剛性部材、剛性部材、強度部材、図示されず）が設けられている。フレームは、金属材料や合成樹脂材料（本実施形態では、一例として、金属材料）で構成されることができる。また、本実施形態では、一例として、筐体４０の一部であり突出部２ｃとして構成された部品収容部４１には、基板および当該基板に設けられたコネクタや電子部品等が収容されている。
【００３１】
本実施形態では、一例として、図１１，１２に示されるように、第一支持部２ａは、載置面Ｐに沿った側方視（図１２の視線）では薄く、載置面Ｐと垂直な平面視では矩形状（台形状）の外観を呈し、載置面Ｐに沿う扁平な形状（板状、壁状）に構成されている。また、本実施形態では、一例として、第二支持部２ｂは、第一支持部２ａの端部２ａ２から垂直より後側（テレビジョン受像機１を装着した状態での後側、端部２ａ２の反対側の端部２ａ３側）へ僅かに倒れた方向に突出している。第二支持部２ｂは、図１１，１２に示されるように、テレビジョン受像機１の筐体３の一端部（本実施形態では、一例として、端部３ｅ）の一部を、テレビジョン受像機１を所定位置（保持位置、保持領域）に装着する（挿入する）方向（本実施形態では、一例として上方）を除く各方向、すなわち、下方、後方、側方（左方および右方）、ならびに前方から囲う（覆う）ように保持する（支持する、持つ、支える）。また、端部３ｅ（図１〜３参照）に沿った部分も、第二支持部２ｂで覆うことができる。また、第二支持部２ｂは、テレビジョン受像機１がドッキングステーション２の所定位置に向けて移動する（スライドする、変位する、挿入される、装着される）際に、テレビジョン受像機１の筐体３を当該所定位置に案内するガイドとしても機能する。すなわち、第二支持部２ｂは、案内部（ガイド部、スライド部、滑部）の一例である。本実施形態では、一例として、第二支持部２ｂは、壁部２ｅ〜２ｈを有する。壁部（第一壁、第一壁部、底壁部、下壁部）２ｅは、所定位置に保持された筐体３の下方に位置され、筐体３を下方から覆う。壁部（第二壁、第二壁部、後壁部、背壁部）２ｆは、筐体３の後方に位置され、筐体３を後方（後側、後面側、背面側、背後側）から覆う。壁部（第三壁、第三壁部、側壁部）２ｇは、筐体３の側方に位置され、筐体３を側方から覆う。壁部（第四壁、第四壁部、前壁部）２ｈは、筐体３の前方に位置され、筐体３を前方から覆う。なお、壁部２ｅは、第一支持部２ａの一部として構成することもできる。
【００３２】
また、本実施形態では、一例として、ドッキングステーション２は、テレビジョン受像機１（電子機器）の機能部分を露出させた状態で、あるいは機能部分がドッキングステーション２の周囲と連通された状態で、テレビジョン受像機１を覆っている。一例として、本実施形態では、図１１に示されるように、テレビジョン受像機１の前方に対応して、第二支持部２ｂには、開口部２ｉが設けられている。開口部２ｉは、切欠部や貫通孔等（本実施形態では、一例として切欠部）として設けることができる。すなわち、本実施形態では、テレビジョン受像機１がドッキングステーション２に装着された姿勢で、筐体３の前面３ａの左右両側に位置する端部３ｄ，３ｆに沿った部分であって、表示画面４ａおよび開口部３ｒから外れた部分が、第二支持部２ｂ（の壁部２ｈ）で覆われている。このような構成により、一例としては、表示画面４ａの視認性が確保されやすい。なお、筐体３の前面３ａの下側に位置する端部３ｅを覆う部材（例えば、第二支持部２ｂ、第一支持部２ａ、筐体４０の一部、筐体４０とは別の部材等）で覆われてもよい。
【００３３】
また、本実施形態では、一例として、ドッキングステーション２は、テレビジョン受像機１の筐体３に設けられた通気口２２が露出した状態で、テレビジョン受像機１を保持している。図３，５，６に示されるように、通気口２２は、筐体３の第二部３Ｂｂおよび傾斜部３Ｂｃに設けられている。そして、図３，５，７，１１からわかるように、通気口２２は、第二支持部２ｂの各部の上側の端部（縁部、辺部）２ｊより上方に位置し、ドッキングステーション２に覆われず、露出している。よって、一例としては、通気口２２を通る空気（空気流）がドッキングステーション２に妨げられるのが抑制されやすい。また、筐体３に設けられたコネクタ２１の開口部３ｕや、部品１６を収容した部品収容部１７の開口部１７ａ、操作部２０の開口部３ｕ等も露出している。よって、本実施形態では、一例としては、ドッキングステーション２によって開口部３ｕ，１７ａに対する部品や手指等の接近や操作が妨げられるのが抑制されやすい。また、上記構成により、筐体３中で発熱量の大きい領域の一例である筐体３の第二部３Ｂｂが、ドッキングステーション２から露出する。よって、一例としては、第二部３Ｂｂがドッキングステーション２で覆われた場合に比べて、放熱性が大きくなりやすい。また、一例としては、冷却効率が高くなりやすい。
【００３４】
また、本実施形態では、一例として、図１３に示されるように、第一部材（第一筐体部材）３Ｆｒは、正面視および背面視では矩形状（本実施形態では、一例として長方形状）かつ枠状に構成されている。具体的に、第一部材３Ｆｒは、壁部３ｋ，３ｎ１（３ｎ）を有する。壁部３ｎ１（３ｎ）は、壁部３ｋの周縁部で当該壁部３ｋから起立される。第一部材３Ｆｒの中央部には、開口部３ｒが設けられている。開口部３ｒの周縁部としての壁部３ｋおよび前面３ａは、帯状かつ板状に形成されている。また、第一部材３Ｆｒは、突出部３０ｂを有する。突出部３０ｂは、バッテリ収容部３ｓの長手方向端部に位置した第一支持部３０ａ１（図１６参照）を前方から覆う。突出部３０ｂは、壁部３ｋおよび前面３ａから連続して端部３ｄ，３ｆの延長方向に突出している。その先端側は、壁部３ｍおよび後面３ｂ（図５，７参照）側に筐体３の外側に凸に円弧状に湾曲し、端部３ｃおよび側面３ｐの一部を形成している。図８に示されるように、第一部材３Ｆｒは、表示装置４および入力操作パネル５の縁（周縁部）を前方側から覆っている。よって、第一部材３Ｆｒは、ベゼル（フロントベゼル）の一例である。また、第一部材３Ｆｒは、バッテリ１８に面する部分（端部３ｃに位置した（沿った）部分）を除き、露出される。すなわち、第一部材３Ｆｒは、シェルの一例である。
【００３５】
また、第一部材３Ｆｒには、その外周に沿って、他の筐体部材（第二部材３Ｒｒまたは第三部材３Ｍｄ）と結合される結合部３０ｃ，３０ｄ，３０ｅが設けられている。第一部材３Ｆｒのバッテリ収容部３ｓが設けられる側の端部３ｃに沿った部分には、結合部３０ｃと、結合部３０ｄが設けられている。結合部３０ｃは、ねじ１０等の結合具を通す開口部（本実施形態では、一例として貫通孔）として構成される。結合部３０ｃは、ねじ１０等の結合具を介して他の筐体部材（本実施形態では、一例として第三部材３Ｍｄ）の結合部３０ｙ（図１５参照）と結合する。結合部（係部）３０ｄは、他の筐体部材（本実施形態では、一例として第三部材３Ｍｄ）の結合部３０ｚ（係部、図１５参照）と係わって結合する。また、第一部材３Ｆｒの端部３ｃ以外の端部３ｄ，３ｅ，３ｆに沿った部分には、結合部３０ｅが設けられる。結合部（係部）３０ｅは、他の筐体部材（本実施形態では、一例として第二部材３Ｒｒ）の結合部３０ｈ（係部、図１４参照）と係わって結合する。結合部３０ｅは、第一係部の一例である。結合部３０ｈは、第二係部の一例である。
【００３６】
また、本実施形態では、一例として、図１４に示されるように、第二部材（第二筐体部材）３Ｒｒは、正面視および背面視では矩形状（本実施形態では、一例として長方形状）に構成されている。また、第二部材３Ｒｒは、全体として、プレート状に構成されている。具体的には、第二部材３Ｒｒは、壁部３ｍと、壁部３ｎ２（３ｎ），３０ｆとを有する。壁部３ｎ２（３ｎ），３０ｆは、壁部３ｍの周縁部で当該壁部３ｍから起立する。壁部３０ｆは、バッテリ収容部３ｓおよびバッテリ支持部（第二支持部３０ａ２）の一部を構成し、バッテリ１８と面する。第二部材３Ｒｒは、バッテリ１８に面する部分（端部３ｃに位置した（沿った）部分）を除き、露出される。すなわち、第二部材３Ｒｒは、シェルの一例である。
【００３７】
また、壁部３ｍの筐体３の内側には、他の筐体部材（第一部材３Ｆｒまたは第三部材３Ｍｄ）と結合される結合部３０ｇが設けられている。結合部３０ｇは、ねじ１０等の結合具を介して他の筐体部材（本実施形態では、一例として第三部材３Ｍｄ）の結合部３０ｘ（図１５参照）と結合する。結合部３０ｇは、壁部３ｍから筐体３の内側に突出した突出部として構成され、結合具が固定される固定部（例えば、雌ねじ孔）を有する。また、壁部３ｍには、部品１６を収容する部品収容部１７が設けられている。また、壁部３０ｆ以外の壁部３ｎには、結合部３０ｈが設けられる。結合部（係部）３０ｈは、他の筐体部材（本実施形態では、一例として第一部材３Ｆｒ）の結合部３０ｅ（係部、図１３参照）と係わって結合する。
【００３８】
また、第二部材３Ｒｒは、バッテリ収容部３ｓの長手方向端部に位置した第一支持部３０ａ１の一部である突出部３０ｉを有する。この突出部３０ｉは、壁部３０ｊ，３０ｋ，３０ｍ，３０ｎを有する。壁部３０ｊは、壁部３ｎ２（３ｎ）に連なる。壁部３０ｋは、壁部３０ｊと離間して壁部３０ｊに沿う。壁部３０ｍは、壁部３０ｊと壁部３０ｋとに亘り壁部３ｍと連なる。壁部３０ｎは、壁部３０ｍの先端側で壁部３０ｊと壁部３０ｋとに亘る。突出部３０ｉの壁部３０ｊ，３０ｋ，３０ｍ，３０ｎで囲まれた領域には、これら壁部３０ｊ，３０ｋ，３０ｍ，３０ｎによって、筐体３の内側（端部３ｅ側および壁部３ｋ側）に向けて開放された凹部（空間、部品収容部、収容部）３１ａが形成されている。なお、壁部３０ｎは、壁部３０ｍに連なり壁部３ｋおよび前面３ａ（図５，７参照）側に筐体３の外側に凸に円弧状に湾曲し、端部３ｃおよび側面３ｐの一部を形成している。
【００３９】
また、本実施形態では、一例として、図１５に示されるように、第三部材（第三筐体部材）３Ｍｄは、正面視および背面視では矩形状（本実施形態では、一例として長方形状）に構成されている。また、第三部材３Ｍｄは、全体として、プレート状に構成されている。具体的には、壁部３２ａ，３０ｐ，３０ｒ，３０ｓを有する。壁部３２ａは、矩形状かつ板状に構成され、表示装置４の背面４ｂ（図２６参照）を支持する。壁部３２ａは、第一壁部の一例である。壁部３０ｐ，３０ｒ，３０ｓは、壁部３２ａの周縁部で当該壁部３２ａから起立される。壁部３０ｐは、端部３ｃに位置し（沿い）、バッテリ収容部３ｓおよびバッテリ支持部（第二支持部３０ａ２）の一部を構成し、バッテリ１８と面する。壁部３０ｐは、側壁の一例である。また、壁部３０ｒは、端部３ｃに位置し（沿い）、壁部３０ｐより筐体３の内側に位置し、表示装置４の側面４ｃ（図２６参照）に面し（当該側面４ｃを覆い）、当該側面４ｃを支持する。また、壁部３０ｓは、端部３ｄ，３ｅ，３ｆに位置し（沿い）、第一部材３Ｆｒまたは第二部材３Ｒｒの壁部３ｎより筐体３の内側に位置され、表示装置４の側面４ｃに面し（当該側面４ｃを覆い）、当該側面４ｃを支持する。壁部３ｎと壁部３０ｓとの間には、ハーネスや、基板、コネクタ、等の部品が収容された凹部（空間、部品収容部、収容部）が形成される。壁部３０ｓは、端部の一例である。また、壁部３０ｒ，３０ｓは、第二壁部の一例である。また、壁部３０ｐは、第一端部の一例であり、壁部３０ｓは、第二端部の一例である。
【００４０】
また、第三部材３Ｍｄは、バッテリ収容部３ｓの長手方向端部に位置した第一支持部３０ａ１の一部である突出部３０ｔを有する。この突出部３０ｔは、壁部３０ｕ，３０ｖ，３０ｗを有する。壁部３０ｕは、壁部３２ａと並行して（並行に）設けられる。壁部３０ｖは、壁部３０ｐから当該壁部３０ｐと交叉する方向（本実施形態では、一例として直交する方向）に沿って延びる。また、壁部３０ｖは、壁部３２ａとも交叉する方向（本実施形態では、一例として直交する方向）に沿って延びる。壁部３０ｗは、壁部３０ｕと壁部３０ｖとの先端部間に亘る。これら壁部３０ｕ，３０ｖ，３０ｗによって、筐体３の内側（端部３ｅ側および壁部３ｍ側）に向けて開放された凹部（空間、部品収容部、収容部）３１ｂが形成されている。第二部材３Ｒｒに設けられた凹部３１ａと第三部材３Ｍｄに設けられた凹部３１ｂとが、筐体３の厚さ方向に重なり、バッテリ１８の長手方向の両端部の筐体３内に、端部３ｅ側に開放された部品収容部が構成される。
【００４１】
また、第三部材３Ｍｄには、他の筐体部材（第一部材３Ｆｒまたは第二部材３Ｒｒ）と結合される結合部３０ｘ，３０ｙ，３０ｚが設けられている。結合部３０ｘは、壁部３２ａに設けられ、ねじ１０等の結合具を介して他の筐体部材（本実施形態では、一例として第二部材３Ｒｒ）と結合する。結合部３０ｘは、結合部３０ｇ（図１４参照）に対応し、ねじ１０等の結合具を通す開口部（本実施形態では、一例として貫通孔）として設けられている。また、結合部３０ｙは、壁部３０ｐに設けられ、ねじ１０等の結合具を介して他の筐体部材（本実施形態では、一例として第一部材３Ｆｒ）と結合する。結合部３０ｙは、結合部３０ｃに対応し、ねじ１０等の結合具を結合する結合部（本実施形態では、一例として雌ねじ孔）を有する。また、結合部３０ｚは、壁部３０ｐに設けられ、他の筐体部材（本実施形態では、一例として第一部材３Ｆｒ）の結合部３０ｄ（係部、図１３参照）と係わって結合する。
【００４２】
本実施形態では、バッテリ１８がバッテリ収容部３ｓに収容された（装着された）状態では、第三部材３Ｍｄは筐体３の外には露出しない。よって、本実施形態では、一例として、第三部材３Ｍｄに対しては塗装等の外見を向上させるための処理が不要となる。また、本実施形態では、一例として、第二部材３Ｒｒと第三部材３Ｍｄとが金属材料で構成され、第一部材３Ｆｒが合成樹脂材料で構成される。すなわち、本実施形態では、一例として、筐体３の剛性は、主として第二部材３Ｒｒおよび第三部材３Ｍｄによって確保される。よって、その分、第一部材３Ｆｒは、第三部材３Ｍｄが無い場合に比べて剛性を低くすることができる。このように、複数の部材に機能を分けることで、製造の手間を減らすことができる等の利点が得られる場合がある。
【００４３】
また、本実施形態では、一例として、図１５に示されるように、第三部材３Ｍｄの壁部３２ａには、複数の開口部３１ｙ（一例としては貫通孔）が設けられている。この開口部３１ｙにより、一例としては、第三部材３Ｍｄひいてはテレビジョン受像機１をより軽量に構成することができる。また、一例としては、開口部３１ｙにより、筐体３内での通気性が向上しやすい。また、図８にも示されるように、本実施形態では、一例として、基板６およびファン２４に面した（対向した）領域Ａｓには、開口部３１ｙが設けられず、第二部材３Ｒｒと第三部材３Ｍｄとの間で基板６に対してファン２４の反対側となる領域に面した（対向した）領域Ａｏに、開口部３１ｙが設けられている。この点、本実施形態によれば、一例としては、壁部３２ａの開口部３１ｙを通った空気は、基板６に対してファン２４の反対側となる領域から、基板６のファン２４の反対側の端部６ｃ（縁、図１０参照）の外側を通過して（回り込んで、迂回して）第三部材３Ｍｄに対して基板６の反対側の面（第二面６ｂ）にも流れやすい。
【００４４】
本実施形態では、一例として、図１６，１７に示されるように、バッテリ収容部３ｓは、筐体３の端部３ｃを切り欠いた部分（凹部、開口部）として設けられている。バッテリ収容部３ｓにバッテリ１８が収容される（装着される）と、図４，５，７等に示されるように、バッテリ１８の面１８ａと筐体３の前面３ａとが連なるとともに、バッテリ１８の面１８ａと反対側の面１８ｂと筐体３の後面３ｂとが連なる。また、面１８ａおよび面１８ｂは、外側に向けて凸となる状態に円弧状に湾曲した面（曲面）１８ｃによって繋がっている。
【００４５】
本実施形態では、一例として、バッテリ収容部３ｓは、三つの筐体部材（第一部材３Ｆｒ、第二部材３Ｒｒ、および第三部材３Ｍｄ）が組み合わせられて、構成されている。バッテリ１８は、主として、第二部材３Ｒｒおよび第三部材３Ｍｄによって支持される。また、バッテリ１８の一部（本実施形態では、一例として、筐体３側の部分、筐体３の端部３ｃに沿った部分）は、第一部材３Ｆｒ、第二部材３Ｒｒ、および第三部材３Ｍｄによって覆われる。また、本実施形態では、一例として、バッテリ１８の長手方向の両側の端部１８ｄが、第一支持部３０ａ１によって支持され、バッテリ１８の短手方向の一方の端部（筐体３の端部３ｃに沿った端部）１８ｅが、第二支持部３０ａ２によって支持される。第一支持部３０ａ１は、第二部材３Ｒｒの突出部３０ｉと第三部材３Ｍｄの突出部３０ｔとを含む。また、第二支持部３０ａ２は、第二部材３Ｒｒの壁部３０ｆと第三部材３Ｍｄの壁部３０ｐとを含む。第一支持部３０ａ１および第二支持部３０ａ２は、バッテリ支持部の一例である。また、本実施形態では、一例として、図２０，２１に示されるように、第二部材３Ｒｒの壁部３０ｆおよび第三部材３Ｍｄの壁部３０ｐは、バッテリ収容部３ｓに面する部分では、筐体３の厚さ方向に並べて設けられている。
【００４６】
本実施形態では、一例として、図１８，１９に示されるように、バッテリ１８の長手方向の端部１８ｄには、第一支持部３０ａ１と係わる係部１８ｆが設けられる。係部１８ｆは、一例として、バッテリ１８の出入方向（装着方向、着脱方向、本実施形態では、一例として、前面３ａ、端部３ｄ，３ｆに沿った方向、Ｙ方向）に沿った溝（凹部、開口部）として設けられている。これに対応して、第一支持部３０ａ１には、図１６，１７に示されるように、係部１８ｆと係わる係部３１ｃが設けられている。係部３１ｃは、第二部材３Ｒｒおよび第三部材３Ｍｄのうち少なくともいずれか一方（本実施形態では、一例として第二部材３Ｒｒ）に、溝としての係部１８ｆに挿入される突出部（突起、壁）として構成されている。使用者等がバッテリ１８を持ってバッテリ収容部３ｓに近接させ、挿入すると、係部１８ｆが係部３１ｃに案内されながら、バッテリ１８は所定位置（装着位置、結合位置）に移動する。すなわち、係部３１ｃおよび係部１８ｆは、支持部およびガイド部（案内部）の一例である。
【００４７】
また、バッテリ１８の短手方向の端部１８ｅには、コネクタ１８ｇと、第二支持部３０ａ２と係わる係部１８ｈと、が設けられる。コネクタ１８ｇは、バッテリ１８の端部１８ｅから突出している。これに対応して、第二支持部３０ａ２には、図１６，１７に示されるように、コネクタ１８ｇと機械的かつ電気的に接続されるコネクタ３１ｄが設けられている。コネクタ３１ｄは、基板６に電気的に接続され、第二支持部３０ａ２に設けられた開口部３１ｅから露出している。また、係部１８ｈは、バッテリ１８の長手方向に沿って離間した複数箇所（本実施形態では、一例として二箇所）で突出した突出部として設けられている。係部１８ｈの先端部には爪部（係部、フック部、フック）１８ｉが設けられている。これに対応して、第二支持部３０ａ２には、係部１８ｈが入れられる開口部（凹部）３１ｆが設けられている。開口部３１ｆは、図２０，２１に示されるように、第二部材３Ｒｒの壁部３０ｆと第三部材３Ｍｄの壁部３０ｐとの境界部分に、それらの隙間（切欠）として構成されている。隙間は、貫通孔より設けやすい。よって、本実施形態によれば、一例として、開口部３１ｆの製造の手間を減らしやすい。また、本実施形態では、一例として、開口部３１ｆ内には、筐体３（第二部材３Ｒｒおよび第三部材３Ｍｄのうち少なくとも一方、本実施形態では、一例として双方）にスライド可能（移動可能、変位可能）に支持された係部（可動部）３１ｇが設けられている。係部３１ｇの先端部には、爪部１８ｉと関わる爪部（係部、フック部、フック）３１ｊが設けられている。係部３１ｇは、筐体３に露出した状態に設けられた操作子（部品、スライダ）３１ｈと接続され、この操作子３１ｈとともに動作する（連動する）。係部３１ｇは、筐体３に設けられたガイド部３１ｉに案内されて移動する。本実施形態では、一例として、ガイド部３１ｉは、第二部材３Ｒｒの壁部３０ｆと第三部材３Ｍｄの壁部３０ｐとの境界部分に、それらの端部（端縁、縁、辺）間の隙間（切欠、スリット）として構成されている。隙間は、貫通孔より設けやすい。よって、本実施形態によれば、一例として、係部３１ｇに関わる構成の製造の手間を減らしやすい。このような構成において、バッテリ１８がバッテリ収容部３ｓに導入されるのに伴って、開口部３１ｆ内に係部１８ｈが挿入される。バッテリ１８が筐体３に対する所定位置（装着位置、結合位置）に位置した状態で、使用者の手指等によって操作子３１ｈがフリー側（解除側）からロック側（固定側）へ動かされると、係部３１ｇの爪部３１ｊと係部１８ｈの爪部１８ｉとが係わり、バッテリ１８が所定位置（装着位置、進入位置）でロック（固定）される。
【００４８】
また、本実施形態では、一例として、図２０，２１に示されるように、バッテリ１８によって覆われた第二部材３Ｒｒの壁部３０ｆおよび第三部材３Ｍｄの壁部３０ｐは、その法線方向（Ｙ方向）に凹んだあるいは突出した凹凸形状（凹部および凸部）を有している。これにより、バッテリ１８に覆われた筐体３の端部３ｃの剛性が向上しやすい。
【００４９】
また、本実施形態では、一例として、図２１，２２に示されるように、第一部材３Ｆｒの結合部３０ｃ，３０ｄは、第二部材３Ｒｒおよび第三部材３Ｍｄのうち少なくともいずれか一方（本実施形態では、一例として第三部材３Ｍｄ）に、筐体３の外側から結合されている。具体的に、結合部３０ｃは、図２２に示されるように、ねじ１０等の結合具が通される開口部３１ｋが設けられた突出部３１ｍを有する。突出部３１ｍは、壁部３ｋから壁部３ｍ側に向けて筐体３の厚さ方向に突出している。この突出部３１ｍは、第三部材３Ｍｄの壁部３０ｐおよび第二部材３Ｒｒの壁部３０ｆの面（外面）に沿って延びている。すなわち、突出部３１ｍは、壁部３０ｐ，３０ｆを筐体３の外側から覆っている。また、結合部（係部）３０ｄは、図２１に示されるように、第二部材３Ｍｄの壁部３０ｐの壁部３ｋ側の端部に設けられた結合部（係部）３０ｚに、筐体３の外側から係わっている。このように、第一部材３Ｆｒの結合部３０ｃ，３０ｄが、第二部材３Ｒｒおよび第三部材３Ｍｄのうち少なくともいずれか一方を、筐体３の外側から覆った構成では、一例としては、バッテリ１８を外した状態で、結合部３０ｃ，３０ｄによる結合を解除しやすい。
【００５０】
また、本実施形態では、一例として、図２２に示されるように、第一部材３Ｆｒの結合部３０ｃと第二部材３Ｒｒおよび第三部材３Ｍｄのうち少なくともいずれか一方（本実施形態では、一例として第三部材３Ｍｄ）の結合部３０ｙに結合されるねじ１０は、表示装置４に対して表示画面４ａの反対側に位置される。よって、一例としては、ねじ１０が表示装置４に対して表示画面４ａに沿った方向に重なった（ねじ１０が表示装置４に対して側面４ｃの法線方向に位置された）場合に比べて、正面視で表示画面４ａの側面（縁）４ｃから筐体３が外側へ張り出す長さをより小さくすることができる。よって、一例としては、表示装置４の大きさに対する筐体３の大きさがより小さくなりやすい。
【００５１】
また、本実施形態の構成では、突出部３１ｍが壁部３ｋから離れる方向に延び、突出部３１ｍの突端（先端、端部）と結合部３０ｄとが離間している。よって、一例としては、作業者が、結合部３０ｃと結合部３０ｙとの結合を解除した後、突出部３１ｍ（の先端部）に、手指や工具（例えば、マイナスドライバ）等によって壁部３０ｐ，３０ｆから離間する方向（図２２の右方向、右上方向）に力を作用させる場合に、結合部３０ｄに対するモーメントアームがより長くなるため、結合部３０ｄと結合部３０ｚとの係わりを解除しやすくなる。また、ねじ１０を表示装置４の背後側に設けた場合には、モーメントアームがより長くなりやすい。なお、突出部３１ｍの根元部分（基端部分）には、突出部３１ｍと壁部３ｋとの双方と交叉する方向に延びた突出部（壁部、リブ）３１ｐが設けられる。よって、本実施形態によれば、突出部３１ｍが曲がった際に、根元部分が変形するのが抑制されやすい。
【００５２】
また、本実施形態では、一例として、図２１，２２に示されるように、壁部３ｋが壁部３０ｐから筐体３の中心から離れる方向に張り出している（突出している）。よって、一例としては、作業者が、結合部３０ｃと結合部３０ｙとの結合を解除した後、壁部３ｋの端部（縁部、辺部）３ｋ１に、手指や工具等によって壁部３ｍから離間する方向（図２２の上方向、左上方向）に力を作用させる場合に、結合部３０ｄに対するモーメントアームがより長くなるため、結合部３０ｄと結合部３０ｚとの係わりを解除しやすくなる。また、壁部３ｋの張出部分に対応して、バッテリ１８に凹部１８ｊが設けられている。よって、筐体３の厚さが大きくなりにくい。
【００５３】
また、本実施形態では、一例として、図２３，２４に示されるように、バッテリ収容部３ｓ側の端部３ｃ以外の端部３ｄ，３ｅ，３ｆでは、第一部材３Ｆｒと第二部材３Ｒｒおよび第三部材３Ｍｄのうち少なくともいずれか一方（本実施形態では、一例として第二部材３Ｒｒ）との結合部３０ｅ，３０ｈは、筐体３の壁部３ｎより筐体３の内側に位置されている。すなわち、結合部３０ｅ，３０ｈが、第一部材３Ｆｒおよび第三部材３Ｍｄのうち少なくともいずれか一方に覆われている。よって、本実施形態によれば、一例としては、結合部３０ｅ，３０ｈが露出するのを抑制することができる。よって、例えば、結合が解除されやすくなる、美観が損なわれやすくなる等、結合部３０ｅ，３０ｈが筐体３の外に露出することによる不都合が生じるのを抑制することができる。
【００５４】
また、本実施形態では、一例として、第一部材３Ｆｒと第二部材３Ｒｒおよび第三部材３Ｍｄのうち少なくともいずれか一方との結合は、バッテリ１８に覆われた結合部３０ｃと結合部３０ｙとの結合がねじ１０等の結合具を介しての結合であるのを除き、結合部同士の係わり（引っ掛かり）による。よって、本実施形態によれば、一例としては、係わりより強固な結合具を介しての結合部を少なくとも一つの端部３ｃに設けることで、第一部材３Ｆｒと第二部材３Ｒｒおよび第三部材３Ｍｄのうち少なくともいずれか一方とのより確実な結合状態を確保することができるとともに、例えば、嵩張りやすくなったり重量が増大しやすくなったりといった、結合具を介しての結合箇所が増えることによって不都合が生じるのを抑制することができる。
【００５５】
また、本実施形態では、一例として、図２５に示されるように、第二部材３Ｒｒと第三部材３Ｍｄとは、ねじ１０等の結合具によって結合され、その結合具による結合部３０ｘ，３０ｇが表示装置４または第一部材３Ｆｒで覆われている。よって、本実施形態によれば、一例としては、主として剛性および強度を保つ二つの筐体部材としての第二部材３Ｒｒと第三部材３Ｍｄとの結合部３０ｘ，３０ｇが筐体３の外に露出するのを抑制することができる。よって、例えば、結合が解除されやすくなる、美観が損なわれやすくなる等、結合部３０ｘ，３０ｇが露出することによる不都合が生じるのを抑制することができる。
【００５６】
また、本実施形態では、一例として、第三部材３Ｍｄの壁部３２ａには、第二部材３Ｒｒ側に向けて凹んだ凹部（開口部）３１ｒが設けられている。具体的に、凹部３１ｒは、対向した端部３ｄ，３ｆ間に亘って、端部３ｃ，３ｅと並行して（平行に）設けられ、その凹部３１ｒの境界部分に、段差状（傾斜面状）の壁部３１ｓが設けられている。凹部３１ｒには、図２６に示される表示装置４の背面４ｂに沿って設けられた基板（回路基板）４ｄが収容される。壁部３１ｓにより、第三部材３Ｍｄの剛性が向上しやすくなる。よって、本実施形態によれば、一例として、凹部３１ｒによって、表示装置４の基板４ｄが収容されるスペース（空間、領域）を確保しながら、第三部材３Ｍｄの剛性が向上しやすくなる。
【００５７】
また、本実施形態では、一例として、図２５，２７に示されるように、部品１６を収容した部品収容部１７が、第二部材３Ｒｒと第三部材３Ｍｄとの間に位置されている。そして、本実施形態では、一例として、第三部材３Ｍｄの壁部３２ａには、部品収容部１７に対応した開口部３１ｔが設けられている。開口部３１ｔは、部品収容部１７の壁部（筐体、筒、保持部、周壁部）１７ｂと壁部３２ａとが当接するのを回避する、所謂クリアランスホールの一例である。よって、本実施形態によれば、一例としては、筐体３や表示装置４に作用した力が壁部３２ａを介して部品収容部１７に伝達されて、当該部品収容部１７の壁部１７ｂが変形し、部品１６が部品収容部１７に出入りしにくくなるのを抑制しやすくなる。また、本実施形態では、一例として、では、図２７に示されるように、部品収容部１７の壁部１７ｂは、開口部３１ｔ内に入っている。よって、壁部１７ｂが開口部３１ｔに入らない場合に比べて、部品収容部１７および第三部材３Ｍｄの部分で筐体３が厚くなるのが抑制されやすい。また、本実施形態では、一例として、開口部３１ｔの周辺部（近傍）に、第三部材３Ｍｄの壁部３２ａと第二部材３Ｒｒの壁部３ｍとの間に亘った壁部（突出部、支部）３１ｕが設けられた。壁部３１ｕは、壁部３２ａと壁部３ｍとに交叉する方向（本実施形態では、一例として、直交する方向）に延び、壁部３２ａと壁部３ｍとの間に介在する。この壁部３１ｕは、壁部３２ａおよび壁部３ｍのうち一方に、他方へ近付く方向の力が作用した場合に突っ張り（支え）、当該一方と他方とが近付くのを抑制する。開口部３１ｔが設けられた部分では、開口部３１ｔが設けられない部分に比べて剛性および強度が低下しやすい。よって、本実施形態では、一例として、壁部３１ｕを設けることで、開口部３１ｔによる利点を得ながら、開口部３１ｔによる不都合を抑制しやすくなる。
【００５８】
また、本実施形態では、一例として、第三部材３Ｍｄは、各種部品を支持する機能を有する。図２８に示されるように、第三部材３Ｍｄは、コネクタ（電子部品、部品）３１ｄが設けられた基板（回路基板）３３を支持する係部３１ｖを有する。基板３３は、筐体３の端部３ｅに沿い、筐体３の壁部３ｎと面し、第三部材３Ｍｄの壁部３２ａと交叉する（本実施形態では、一例として直交する）姿勢で、設けられる。係部３１ｖは、壁部３２ａの端部から突出し、フック状に構成される。係部３１ｖは、基板３３の一方の面から他方の面側へ延び、基板３３の端部３３ａに係る。よって、本実施形態によれば、一例としては、第三部材３Ｍｄを利用して、基板３３を引っ掛けることができる。よって、本実施形態によれば、一例としては、部品をアセンブリする際や、部品をアセンブリした後に、基板３３を比較的簡素な構成によって支持することができる。
【００５９】
また、図２９に示されるように、第三部材３Ｍｄは、カメラ（電子部品、部品）３ｘが設けられた基板３４を支持する壁部（突出部、支持部）３１ｗ，３１ｘを有する。基板３４は、筐体３の端部３ｃに沿い、筐体３の壁部３ｋに沿い、当該壁部３ｋと面した姿勢で、設けられる。壁部３１ｗは、壁部３２ａの端部から突出する。壁部３１ｘは、壁部３１ｗの先端部で屈曲して、壁部３ｋ側に向けて延びる。基板３４は、壁部３ｋ、壁部３１ｘ、および壁部３１ｗで囲まれた領域に収容される。これら、壁部３１ｗ，３１ｘ、カメラ３ｘ、ならびに基板３４は、バッテリ１８に設けられた凹部１８ｊによって設けられた空間に進出している。本実施形態では、一例として、第三部材３Ｍｄを利用して、当該第三部材３Ｍｄの周縁部に、基板３４を支持することができる。よって、本実施形態によれば、一例としては、筐体３とバッテリ１８との間に形成される領域（空間）をより有効に利用しやすい。
【００６０】
以上のように、本実施形態では、一例として、筐体３の端部３ｃで、第三部材３Ｍｄの壁部３０ｐがバッテリ１８に覆われ、バッテリ１８が壁部３０ｐに支持された。よって、本実施形態によれば、一例としては、第三部材３Ｍｄをバッテリ１８等のモジュールの支持に利用することができる。また、一例としては、第三部材３Ｍｄがバッテリ１８で覆われるため、第三部材３Ｍｄについて、塗装するなどの外観用の処理を省略することができる。
【００６１】
また、本実施形態では、一例として、第一部材３Ｆｒと第二部材３Ｒｒおよび第三部材３Ｍｄのうち少なくとも一方とを結合する結合具としてのねじ１０が、バッテリ１８で覆われた。よって、本実施形態によれば、一例としては、結合具によって第一部材３Ｆｒと第二部材３Ｒｒおよび第三部材３Ｍｄのうち少なくとも一方とをより確実に結合することができるとともに、結合具が露出することによる不都合が生じるのを抑制することができる。
【００６２】
また、本実施形態では、一例として、第二部材３Ｒｒと第三部材３Ｍｄとを結合し第一部材３Ｆｒに覆われた結合具としてのねじ１０が設けられた。よって、本実施形態によれば、一例としては、結合具によって第二部材３Ｒｒと第三部材３Ｍｄとをより確実に結合することができるとともに、結合具が露出することによる不都合が生じるのを抑制することができる。
【００６３】
また、本実施形態では、一例として、第一部材３Ｆｒが、端部３ｄ，３ｅ，３ｆに沿った位置では、第二部材３Ｒｒおよび第三部材３Ｍｄのうち少なくとも一方に覆われた状態で、第二部材３Ｒｒおよび第三部材３Ｍｄのうち少なくとも一方と結合された。よって、本実施形態によれば、一例としては、第一部材３Ｆｒと第二部材３Ｒｒおよび第三部材３Ｍｄのうち少なくとも一方との結合部が露出することによる不都合が生じるのを抑制することができる。
【００６４】
また、本実施形態では、一例として、端部３ｄ，３ｅ，３ｆに沿った位置では、第一部材３Ｆｒの結合部３０ｅと第二部材３Ｒｒおよび第三部材３Ｍｄのうち少なくとも一方の結合部（本実施形態では、一例として結合部３０ｈ）とが係わった。よって、本実施形態によれば、一例としては、端部３ｄ，３ｅ，３ｆに沿った位置では、第一部材３Ｆｒと第二部材３Ｒｒおよび第三部材３Ｍｄのうち少なくとも一方との結合については、ねじ１０等の結合具を用いないことにより、構成がより簡素化されやすい。
【００６５】
また、本実施形態では、一例として、第三部材３Ｍｄは、表示装置４の背面４ｂを覆う壁部３２ａと、表示装置４の表示画面４ａと背面４ｂとの間に亘る側面４ｃを覆う壁部３０ｒと、を有した。よって、本実施形態によれば、一例としては、第三部材３Ｍｄによって、表示装置４をより確実に支持しやすい。
【００６６】
また、本実施形態では、一例として、第三部材３Ｍｄの壁部３２ａには、開口部３１ｙが設けられた。よって、本実施形態によれば、一例としては、第三部材３Ｍｄがより軽量に構成されやすい。また、一例としては、筐体３内で、通気性が高まりやすい。
【００６７】
また、本実施形態では、一例として、開口部３１ｙが、基板６と外れた位置に設けられた。よって、本実施形態によれば、一例としては、開口部３１ｙからの空気が基板６に当たって当該基板６の裏側へ到達しにくくなるのが抑制されやすい。
【００６８】
また、本実施形態では、一例として、第一部材３Ｆｒは合成樹脂材料で構成され、第二部材３Ｒｒおよび第三部材３Ｍｄは金属材料で構成された。よって、本実施形態によれば、一例としては、各部材によって機能を分けることができ、構造上あるいは製造上の利点が得られやすい。
【００６９】
以上、本発明の実施形態について説明したが、上記実施形態は一例に過ぎない。本発明は上記実施形態には限定されず、種々の変形が可能である。例えば、図３０に示されるような、二つの筐体３Ａ，３Ｂがヒンジユニット１８Ａを介して回動可能に接続された電子機器１Ａのように、端部３ｃは、バッテリ等のモジュールではなく、機能部品としてのヒンジユニット１８Ａで覆われることができる。この場合も同様の効果が得られる。なお、ヒンジユニット１８Ａには、コネクタ１８ｋや、スイッチ（操作部）１８ｍ、バッテリ１８ｎ等が設けられうる。また、上記各実施形態の技術的特徴は、適宜に組み合わせて実施することができる。また、各構成要素のスペック（構造や、種類、方向、形状、大きさ、長さ、幅、厚さ、高さ、数、配置、位置、材質等）は、適宜に変更して実施することができる。
なお、以下に、本願の原出願の特許査定時の特許請求の範囲に記載された発明を付記する。
［１］
表示画面を有した表示装置と、
前記表示画面の縁部を覆った第一筐体部材と、
前記表示装置に対して前記表示画面の反対側に位置され、前記表示装置の背面を覆った第二筐体部材と、
前記第二筐体部材と前記表示装置との間に位置され、前記表示装置を支持し、前記第一筐体部材と前記第二筐体部材とに亘った側壁を含み、該側壁とは反対側に位置されて前記第一筐体部材および前記第二筐体部材のうち少なくとも一方に覆われた端部を有した第三筐体部材と、
前記第二筐体部材と前記表示装置との間に位置された回路基板と、
前記回路基板と電気的に接続され、前記第三筐体部材の前記側壁の外側に露出されたコネクタと、
前記側壁を覆う位置で前記第三筐体部材に取り付けられ、前記コネクタと電気的に接続されたモジュールと、
前記第一筐体部材と前記第二筐体部材および前記第三筐体部材のうち少なくとも一方とを結合し前記モジュールに覆われた第一結合具と、
前記第二筐体部材と前記第三筐体部材とを結合し前記第一筐体部材または前記表示装置に覆われた第二結合具と、
を備えた、電子機器。
［２］
前記第一筐体部材が、前記端部に沿った位置では、前記第二筐体部材および前記第三筐体部材のうち少なくとも一方に覆われた状態で、前記第二筐体部材および前記第三筐体部材のうち少なくとも一方と結合された、［１］に記載の電子機器。
［３］
前記端部に沿った位置では、前記第一筐体部材が、第一係部を有し、
前記第二筐体部材および前記第三筐体部材のうち前記第一筐体部材と結合された部材が、前記第一係部と係わる第二係部を有した、［２］に記載の電子機器。
［４］
前記第三筐体部材は、前記表示装置の前記背面を覆う第一壁部と、前記表示装置の前記表示画面と前記背面との間に亘る側面を覆う第二壁部と、を有した、［１］〜［３］のうちいずれか一つに記載の電子機器。
［５］
前記第一壁部に開口部が設けられた、［４］に記載の電子機器。
［６］
前記開口部が、前記回路基板と外れた位置に設けられた、［５］に記載の電子機器。
［７］
前記第一筐体部材は合成樹脂材料で構成され、前記第二筐体部材および第三筐体部材は金属材料で構成された、［１］〜［６］のうちいずれか一つに記載の電子機器。
［８］
表示画面を有した表示装置と、
前記表示画面の縁部を覆った第一筐体部材と、
前記表示装置に対して前記表示画面の反対側に位置され、前記表示装置の背面を覆った第二筐体部材と、
前記第二筐体部材と前記表示装置との間に位置され、前記表示装置を支持し、前記第一筐体部材と前記第二筐体部材とに亘った側壁を含み、該側壁とは反対側に位置されて前記第一筐体部材および前記第二筐体部材のうち少なくとも一方に覆われた端部を有した第三筐体部材と、
前記第二筐体部材と前記表示装置との間に位置された回路基板と、
前記回路基板と電気的に接続され、前記第三筐体部材の前記側壁の外側に露出されたコネクタと、
前記側壁を覆う位置で前記第三筐体部材に取り付けられ、前記コネクタと電気的に接続されたモジュールと、
前記第一筐体部材と前記第二筐体部材および前記第三筐体部材のうち少なくとも一方とを結合し前記モジュールに覆われた第一結合具と、
前記第二筐体部材と前記第三筐体部材とを結合し前記第一筐体部材または前記表示装置に覆われた第二結合具と、
を備えた、テレビジョン受像機。
【符号の説明】
【００７０】
１…テレビジョン受像機（電子機器）、１Ａ…電子機器、３Ｆｒ…第一部材（第一筐体部材）、３Ｒｒ…第二部材（第二筐体部材）、３Ｍｄ…第三部材（第三筐体部材）、４…表示装置、４ａ…表示画面、４ｂ…背面、４ｃ…側面（縁部）、６…基板（回路基板）、１８…バッテリ（モジュール、電子部品）、１０…ねじ（結合具、第二結合具）、３０ｅ…結合部（第一係部）、３０ｆ…壁部（側壁）、３０ｈ…結合部（第二係部）、３０ｒ，３０ｓ…壁部（端部）、３１ｄ…コネクタ、３１ｙ…開口部、３２ａ…壁部（第一壁部）。
【図１】
0005444485.tif 000002
【図２】
0005444485.tif 000003
【図３】
0005444485.tif 000004
【図４】
0005444485.tif 000005
【図５】
0005444485.tif 000006
【図６】
0005444485.tif 000007
【図７】
0005444485.tif 000008
【図８】
0005444485.tif 000009
【図９】
0005444485.tif 000010
【図１０】
0005444485.tif 000011
【図１１】
0005444485.tif 000012
【図１２】
0005444485.tif 000013
【図１３】
0005444485.tif 000014
【図１４】
0005444485.tif 000015
【図１５】
0005444485.tif 000016
【図１６】
0005444485.tif 000017
【図１７】
0005444485.tif 000018
【図１８】
0005444485.tif 000019
【図１９】
0005444485.tif 000020
【図２０】
0005444485.tif 000021
【図２１】
0005444485.tif 000022
【図２２】
0005444485.tif 000023
【図２３】
0005444485.tif 000024
【図２４】
0005444485.tif 000025
【図２５】
0005444485.tif 000026
【図２６】
0005444485.tif 000027
【図２７】
0005444485.tif 000028
【図２８】
0005444485.tif 000029
【図２９】
0005444485.tif 000030
【図３０】
0005444485.tif 000031